(57)【要約】【課題】  高透孔率を極力維持しながら、所定寸法の各種骨材、植栽土、ゴミ、異物等の通過を防止し、排水や通気、換気が速やかに効率よくできる排水、換気用等の多孔蓋を提供する。【解決手段】  板材２にその周縁に向かって延びる多数の透孔３を放射状に穿設し、該透孔３の開口幅を板材２の周縁側に漸次広くした多孔蓋において、透孔３に板材２周縁側の透孔外側端部４から該透孔３の軸線６方向に沿い内側に広くとも所定寸法ｄ又は所定寸法ｄ毎の位置に括れ部７を設け、該括れ部７とその近傍の開口幅ａを上記所定寸法ｄ以下となし、上記軸線６方向に沿い透孔３の外側端部４と括れ部７間、該括れ部７のすぐ内側部、又は上記外側端部４と最外側の括れ部７間、括れ部７同士間、最内側の括れ部７のすぐ内側部において、所定寸法ｄを直径とする仮想円Ａが透孔３の孔縁に略内接又は孔縁より食み出す如く想定されて透孔３の開口を規制する。【選択図】  図１
2006090104.tif 000002
【特許請求の範囲】
【請求項１】
薄手の板材（２）にその周縁に向かって延びる多数の透孔（３）が放射状に穿設され、該透孔（３）の開口幅が板材（２）の周縁側に向かって漸次広くなされた多孔蓋において、透孔（３）に板材（２）周縁側の透孔外側端部（４）から該透孔（３）の軸線（６）方向に沿い内側に広くとも所定寸法（ｄ）又は所定寸法（ｄ）毎の位置に括れ部（７）が設けられ、該括れ部（７）及びその近傍の開口幅（ａ）が上記所定寸法（ｄ）以下となされるとともに、上記軸線（６）方向に沿い透孔（３）の外側端部（４）と括れ部（７）間、該括れ部（７）のすぐ内側部、又は上記外側端部（４）と最外側にある括れ部（７）間、括れ部（７）同士間、最内側にある括れ部（７）のすぐ内側部において、上記所定寸法（ｄ）を直径とする仮想円（Ａ）が透孔（３）の孔縁に略内接又は孔縁より食み出す如く想定され、透孔（３）の開口が規制されてなる排水、換気用等の多孔蓋。
【請求項２】
板材（２）の略中央部に設ける透孔（８）を、広くとも所定寸法（ｄ）を直径とする仮想円（Ａ）がその孔縁に略内接する如く想定して穿設し、透孔（８）の開口を規制してなる請求項１記載の排水、換気用等の多孔蓋。
【発明の詳細な説明】
【技術分野】
【０００１】  本発明は、例えば排水性舗装道路に臨む排水用ブロック側壁の導水孔に設けられたり、街路、公園等各種場所に設置される植栽用ブロックやその他の植木鉢の水抜き孔に設けられたり、台所の流し、浴室、各種水洗い場、その他排水を必要とする場所の排水孔や、建物、装置等の通気孔、換気孔等にも設けることができる排水、換気用等の多孔蓋に関するものである。
【背景技術】
【０００２】  従来、各種の排水孔、換気孔等には、その用途に応じて例えば各種の骨材、植栽土、ゴミ、異物等種々の物の孔内への流入或いは孔外への流出を防止するために多孔蓋が設けられており、この種の多孔蓋として、例えば円形や方形等の板材にその略中心から周縁に向かって延びる多数の透孔が放射状に穿設され、各透孔の開口幅が板材の周縁側に向かって漸次広くなされたものや、本出願人の先願に係る特開２００４−１４１１３３号公報に開示されるように、板材に多数穿設されて放射状をなす透孔群が略矢印形透孔と該略矢印形透孔間に介在する略雨滴形透孔とからなり、略矢印形透孔及び略雨滴形透孔の開口幅が共に板材の周縁側に向かって漸次広くなされたものがある。
【特許文献１】  特開２００４−１４１１３３号公報
【発明の開示】
【発明が解決しようとする課題】
【０００３】  しかしながら、かかる従来の多孔蓋は、各透孔の開口幅が板材の周縁側に向かって漸次広くなされているために、板材周縁側における透孔の開口幅が大きくなり過ぎて、本来その通過を防止すべき各種の骨材、植栽土、ゴミ、異物等が蓋を容易に通過しやすく、又、反対にこれを防止するために板材周縁側に向かう透孔の開口幅の広がり具合を抑えると、透孔率が低下して目詰まりが生じたり、排水や通気、換気が速やかにできなくなるといった問題点があった。
本発明はかかる従来の問題点に鑑みてなされたものであって、高透孔率を極力維持しながら所定寸法の各種の骨材、植栽土、ゴミ、異物等の通過を防止し、排水や通気、換気が速やかに効率よくできる排水、換気用等の多孔蓋を提供することを課題としている。
【課題を解決するための手段】
【０００４】  上記課題を解決するため、本発明の排水、換気用等の多孔蓋は、薄手の板材２にその周縁に向かって延びる多数の透孔３が放射状に穿設され、該透孔３の開口幅が板材２の周縁側に向かって漸次広くなされた多孔蓋において、透孔３に板材２周縁側の透孔外側端部４から該透孔３の軸線６方向に沿い内側に広くとも所定寸法ｄ又は所定寸法ｄ毎の位置に括れ部７が設けられ、該括れ部７及びその近傍の開口幅ａが上記所定寸法ｄ以下となされるとともに、上記軸線６方向に沿い透孔３の外側端部４と括れ部７間、該括れ部７のすぐ内側部、又は上記外側端部４と最外側にある括れ部７間、括れ部７同士間、最内側にある括れ部７のすぐ内側部において、上記所定寸法ｄを直径とする仮想円Ａが透孔３の孔縁に略内接又は孔縁より食み出す如く想定され、透孔３の開口が規制されてなるものである。【０００５】  又、本発明の排水、換気用等の多孔蓋は、上記板材２の略中央部に設ける透孔８を、広くとも所定寸法ｄを直径とする仮想円Ａがその孔縁に略内接する如く想定して穿設し、透孔８の開口を規制してなるものである。
【発明の効果】
【０００６】  本発明の排水、換気用等の多孔蓋は、放射状の透孔にその外側端部から内側に広くとも所定寸法又は所定寸法毎の位置に括れ部が設けられ、該括れ部とその近傍の開口幅が上記所定寸法以下となされるとともに、透孔の軸線方向に沿い透孔の外側端部と括れ部間、該括れ部のすぐ内側部、又は上記外側端部と最外側の括れ部間、括れ部同士間、最内側の括れ部のすぐ内側部において、上記所定寸法を直径とする仮想円が透孔の孔縁に略内接又は孔縁より食み出す如く想定され、又、上記放射状の透孔が指向する板材略中央に透孔を追穿設する際にも、該透孔が、広くとも所定寸法を直径とする仮想円がその孔縁に略内接する如く想定され、各透孔の開口が規制されているため、本来板材の周縁側に向かってその開口幅が漸次広くなされた透孔が有する高透孔率を極力損なうことなく維持しながら、板材周縁部側における透孔、並びに、板材中央部における透孔の開口度合を夫々調節して用途に応じて設定される所定寸法以上の各種の骨材、植栽土、ゴミ、異物等の通過を確実に防止し、排水や通気、換気が速やかに効率よくできる。
【発明を実施するための最良の形態】
【０００７】  以下、図面を参照しながら本発明の実施の形態について説明する。
図１は本発明の多孔蓋の一実施の形態を示し、１は本実施形態の多孔蓋であって、同図（イ）に示すように、薄手の円形状板材２にその周縁に向かって延びる多数の透孔３が放射状に穿設され、該透孔３が長い大形の第一透孔３ａと該第一透孔３ａ間に介在された短い小形の第二透孔３ｂとから形成され、第一、第二透孔３ａ，３ｂの内側端部５が夫々板材２の略中心を指向するとともに、板材２の周縁側にその外側端部４が位置されてなる。【０００８】  又、図１（ニ）に示すように、上記第一透孔３ａは内側端部５側にその開口幅が広くなされた膨出部３ｄが設けられて鏃状をなす以外は板材２の周縁側、即ち外側端部４に向かってその開口幅が漸次広くなされ、又、第二透孔３ｂは内側端部５から外側端部４に向かってその開口幅が漸次広くなされている。該第一、第二透孔３ａ，３ｂには、その外側端部４から第一、第二透孔３ａ，３ｂの各軸線６（放射状をなす）方向に沿い内側に所定寸法ｄの位置に括れ部７が設けられ、該括れ部７及びその近傍における開口幅ａが上記所定寸法ｄ以下となされることにより、第一、第二透孔３ａ，３ｂの外側端部４と括れ部７間及び該括れ部７のすぐ内側部における第一、第二透孔３ａ，３ｂの開口が規制されている。【０００９】  即ち、第一、第二透孔３ａ，３ｂはその外側端部４に向かって開口幅が漸次広くなされるが、所定位置において括れ部７によりその開口幅が抑制され、第一、第二透孔３ａ，３ｂの軸線６に沿いその外側端部４と括れ部７間及び該括れ部７のすぐ内側部において、図１（ニ）に破線で示す所定寸法ｄの直径を有する仮想円Ａが、第一、第二透孔３ａ，３ｂの孔縁と略内接するように想定されており、かかる透孔形状によって所定寸法ｄ以上の物の通過を防止すべくなされている。
又、第一透孔３ａの膨出部３ｄにおいても、上記所定寸法ｄの直径を有する仮想円Ａが孔縁に略内接するように想定され、所定寸法ｄ以上の物の通過を防止すべくなされている。【００１０】  上記所定寸法ｄは、多孔蓋１の用途に応じて設定され、例えば多孔蓋１が排水性舗装道路に臨む排水用ブロックの側壁に貫設された導水孔に使用される場合には、アスファルト粗骨材の主たる粒度（粒径）よりやや小さく設定され、植栽用ブロックや植木鉢の水抜き孔に使用される場合には、植栽土や骨材等の植栽用充填材の主たる粒度（粒径）よりやや小さく設定され、又、各種場所の排水孔や、建物、装置等の通気孔、換気孔に使用される場合には、排水孔或いは通気孔、換気孔の孔内の流通の妨げとなるゴミ、異物等の大きさより小さく設定されるものである。【００１１】  又、本実施形態の多孔蓋１においては、図１（イ）及び（ニ）に示すように、上記第一、第二透孔３ａ，３ｂの形状とその組合せ配列によって、透孔率が極力高められているとともに、放射状に配された第一、第二透孔３ａ，３ｂが指向する板材２の略中心にも透孔８が穿設され、該透孔８においても透孔率を考慮して上記仮想円Ａが孔縁に略内接すべく、上記所定寸法ｄより大径の円の周縁複数箇所が凹むことでその孔縁が四方に少許突出した略十字形状となされ、高透孔率化と同時に所定寸法ｄ以上の物の通過を防止すべくなされている。【００１２】  尚、上記透孔３、即ち第一、第二透孔３ａ，３ｂに関し、その括れ部７及びこれに連続する孔縁の形状は、上記図１（ニ）に示すような緩やかな曲線状に限定されず、図２（イ）に示すように孔の開口幅が急に縮小される如き形状等適宜変形されてもよく、又、外側端部４側の形状も丸みを帯びた形状に限らず、図２（イ）に示すような角ばった形状となすことも可能であって、いずれにしても上記仮想円Ａが孔縁に略内接するよう想定されていると、高透孔率を維持しやすく好ましい。又、図２（ロ）に示すように、括れ部７における開口幅ａが縮小され過ぎ、上記仮想円Ａが必ずしも孔縁に内接せずに孔縁から少し食み出すように想定されてもよく、この場合にも所定寸法ｄ以上の物の通過を防止しうることは無論である。尚又、これらの点は後述の実施形態においても同様である。【００１３】  又、上記実施形態では、第一、第二透孔３ａ，３ｂの外側端部４から各軸線６に沿い内側に所定寸法ｄの位置に括れ部７が設けられているが、その変形例として、括れ部７は、図３に示すように、上記外側端部４から各軸線６に沿い内側に、所定寸法ｄよりも小さい寸法ｄ′の位置に設けられてもよい。この場合も、上記と同様に括れ部７及びその近傍における開口幅ａが所定寸法ｄ以下となされ、第一、第二透孔３ａ，３ｂの軸線６に沿いその外側端部４と括れ部７間及び該括れ部７のすぐ内側部において、図３に破線で示す所定寸法ｄの直径を有する仮想円Ａが、第一、第二透孔３ａ，３ｂの孔縁と略内接するように想定されている。【００１４】  図４は本発明の多孔蓋の他実施の形態を示し、本実施形態の多孔蓋１は、上記図１に示すものの変形例であって、第一、第二透孔３ａ，３ｂが更に長くなされて夫々に括れ部７が２箇所設けられた点で異なり、他は図１に示すものと基本的に同様の��のであって、同様部分の説明は上記のものを援用する。
本実施形態の多孔蓋１においては、図４（イ）及び（ロ）に示すように、第一、第二透孔３ａ，３ｂには、その外側端部４から第一、第二透孔３ａ，３ｂの各軸線６方向に沿い内側に所定寸法ｄ毎の位置に夫々括れ部７が設けられ、該括れ部７及びその近傍における開口幅ａが上記所定寸法ｄ以下となされることにより、第一、第二透孔３ａ，３ｂの外側端部４と最外側にある括れ部７間、括れ部７同士間、最内側にある括れ部７のすぐ内側部における第一、第二透孔３ａ，３ｂの開口が規制されている。【００１５】  即ち、第一、第二透孔３ａ，３ｂはその外側端部４に向かって開口幅が漸次広くなされるが、所定の２箇所において夫々括れ部７によりその開口幅が抑制され、図４（ロ）に示すように、第一、第二透孔３ａ，３ｂの軸線６に沿いその外側端部４と最外側にある括れ部７間、括れ部７同士間、最内側にある括れ部７のすぐ内側部において、破線で示す所定寸法ｄの直径を有する仮想円Ａが、第一、第二透孔３ａ，３ｂの孔縁と略内接するように想定されており、かかる透孔形状によって所定寸法ｄ以上の物の通過を防止すべくなされている。【００１６】  尚、本実施形態の多孔蓋１においても、上記と同様に、第一、第二透孔３ａ，３ｂに関し、その括れ部７及びこれに連続する孔縁の形状は、図５（イ）に示す如き孔の開口幅が急に縮小される如き形状等であってもよく、又、外側端部４側の形状も図５（イ）に示す如き面取り状となすこともでき、又、図５（ロ）に示す如く、括れ部７における開口幅ａが縮小され過ぎて上記仮想円Ａが孔縁から少し食み出すように想定されてもよいし、更にこの場合に、第一透孔３ａの軸線６に沿いその外側端部４と最外側にある括れ部７間において、板材２の周方向に沿う最大開口幅が所定寸法ｄの２倍よりやや小さくなされ、軸線６を挟む両側で夫々上記仮想円Ａが孔縁の一部と略内接して孔縁から少し食み出す如く想定されてもよく、適宜変形可能である。
又、上記図３に示すものの変形例として、括れ部７が第一、第二透孔３ａ，３ｂの外側端部４から各軸線６に沿い内側に、所定寸法ｄよりも小さい寸法ｄ′毎の位置に夫々設けられてもよく、この場合にも、上記と同様に第一、第二透孔３ａ，３ｂの外側端部４と最外側にある括れ部７間、括れ部７同士間、最内側にある括れ部７のすぐ内側部において、上記仮想円Ａが、第一、第二透孔３ａ，３ｂの孔縁と略内接、又は孔縁より食み出すように想定される（図示省略）。【００１７】  尚又、上記各実施形態の多孔蓋１をなす板材２の材質は、ステンレス鋼が強度、防食性の面で好ましいが、他の金属や合成樹脂等であってもよい。
又、板材２は円形に限定されることなく、例えば図６（イ）及び（ロ）に示すような方形や八角形の他、三角形、多角形、だ円形等、適宜形状となされてもよいし、図６（ヘ）に示すようにその外周縁に凹部９が断続して設けられてもよいし、又、その大きさ、板厚等も用途に応じて適宜決められればよい。尚、上記図６（ヘ）に示す凹部９は多孔蓋１を排水孔等に設けた際、凹部９が排水孔等の孔端縁２０（二点鎖線で示す）との間に隙間（上記仮想円Ａが該隙間に略内接又は食み出す如く想定され、凹部９の開口を規制して所定寸法以上の物の通過を防止する）を形成して透孔率の向上に寄与すべくなされる。
更に、板材２は図１（ロ）及び（ハ）に示す如き平板状に限定されず、その変形例として例えば図１（ホ）及び（ヘ）に示すようにその周縁部が背面側に曲折されてもよいし、或いは背面側に嵌挿取付用の複数の脚片が適宜手段により突設されてもよいし、或いは又全体が湾曲板状等となされてもよい。【００１８】  又、上記各実施形態においては、放射状をなす透孔３は、上記第一透孔３ａと第二透孔３ｂとから形成されているが、必ずしもこれに限定されず、種々の適宜形状や大きさとなされるとともに、同形状をなす１種類のみ又は異なる形状をなす複数種類の組合せ等となされて多数適宜配列されればよく、少なくとも上記のように透孔３が外側端部４に向かってその開口幅が漸次広くなされるとともに、外側端部４から内側端部５側に広くとも所定寸法ｄ又は所定寸法ｄ毎の位置（即ち所定寸法ｄより小さい寸法ｄ′又は該寸法ｄ′毎の位置も可）に括れ部７が設けられることで、透孔３の開口が規制されておればよい。【００１９】  例えば図６（イ）に示す多孔蓋１の透孔３は、上記図１に示すものと同形状をなす第一、第二透孔３ａ，３ｂと、図４に示す第一透孔と同形状をなす第三透孔３ｃの３種類から形成され、方形状の板材２の対角線方向に長大な第三透孔３ｃが配されるとともに、板材２の周方向に隣合う第三透孔３ｃ間に、第一透孔３ａを挟む両側に第二透孔３ｂが夫々配されて放射状をなす。
又、図６（ロ）の場合における透孔３は、上記図１に示す第一透孔と同形状のもの１種類からなり、又、図６（ハ）の場合における透孔３は、上記図４に示す第二透孔と略同形状で内側端部５側が、更に先細り状に変形された第一透孔３ａ、丸みを帯びた形状に変形された第二透孔３ｂの２種類からなり、夫々板材２の略中央から周縁に向かって放射状をなすとともに、周方向に交互に配列されている。【００２０】  又、図６（ニ）の場合における透孔３は、上記図１に示す第一透孔の変形で、内側端部５側に膨出部を設けずに中途部から内側端部５側を一定開口幅の細長状とした第一透孔３ａと、図１に示す第二透孔と同形状をなす第二透孔３ｂの２種類から形成され、図１に示すものと同様に第一透孔３ａ間に第二透孔３ｂが介在されて放射状をなし、又、図６（ホ）の場合の透孔３は、上記図６（ニ）における上下左右に位置する第一透孔３ａが第二透孔３ｂの形状に略近い第三透孔３ｃに置換されている。
又、図６（ヘ）の場合の透孔３は、上記図４に示す第一透孔と同形状をなす第一透孔３ａと、図１に示す第二透孔と同形状をなす第二透孔３ｂの２種類から形成され、第一透孔３ａ間に第二透孔３ｂが介在されて放射状をなす。【００２１】  更に、図６（ト）の場合の透孔３は、図４に示す第一、第二透孔の変形で、その形状が更に長大化して括れ部７の数が増えて夫々３箇所に括れ部７が設けられた第一、第二透孔３ａ，３ｂの２種類から形成され、図４に示すものと同様に第一透孔３ａ間に第二透孔３ｂが介在されて放射状をなす。【００２２】  尚又、板材２の略中心に穿設された透孔８についても、上記図１（ニ）に示す如き円の周縁複数箇所が凹んだ小形の略十字形状の他、図６（イ）及び（ニ）に示す如き円形、或いはだ円形、三角形、方形、多角形、その他図６（ハ）に示す如き略六花形状や図６（ホ）に示す如き大形の略十字状等となされる際にも、上記所定寸法ｄ以上のものの通過を防止（所定寸法ｄの直径を有する仮想円Ａが孔縁に略内接又は食み出す如く想定され、例えば図６（ハ）の場合は仮想円Ａが孔中央と放射状の６つの端部に夫々略内接、又、図６（ホ）の場合は仮想円Ａが孔中央と十字状の各端部に夫々略内接する如く想定され、夫々中央部と端部との間の孔縁が仮想円Ａの内側に食み出すことで、相対する孔縁間が狭く形成される）すべき適宜形状となされておればよい。、又、該透孔８は必要に応じて設けられればよい。【００２３】  次に、本発明の多孔蓋１の使用例について説明すると、図７に示す場合は、多孔蓋１が排水性舗装道路１３に臨む排水用ブロック１０の側壁に貫設された導水孔１１の孔縁に取付固定され、排水性舗装道路１３の不透水層１５上の排水機能層１４に浸透した路面水等が導水孔１１に流入して内部の排水路１２内に排水されるのに伴い、アスファルト粗骨材等の所定の大きさ以上のものが多孔蓋１の透孔縁にかかって導水孔１１から内部に流入するのを防止するようになされている。
又、図８に示す場合は、植栽用ブロック１６の底部の水抜き孔１７の上縁に多孔蓋１が係止され、植栽用ブロック１６内部の植栽土１８の下位にある粗骨材１９に臨ませて使用され、植栽土１８や粗骨材１９等の植栽用充填材の所定の大きさ以上のものが多孔蓋１の透孔縁にかかって水抜き孔１７から流出するのを防止するようになされている。
又、その他図示しないが、本発明の多孔蓋１は、各種場所の排水孔や、建物、装置等の通気孔、換気孔に設けられ、排水孔或いは通気孔、換気孔の孔内の流通の妨げとなるゴミ、異物等の所定の大きさ以上のものの通過を防止するようになされてもよい。
【図面の簡単な説明】
【００２４】
【図１】  本発明の多孔蓋の一実施の形態を示し、（イ）は正面図、（ロ）は（イ）のＢ−Ｂ断面図、（ハ）は（イ）のＣ−Ｃ断面図、（ニ）は一部拡大正面図、（ホ）は変形例を示す（イ）のＢ−Ｂ断面図、（ヘ）は同変形例を示す（イ）のＣ−Ｃ断面図。
【図２】  （イ）及び（ロ）は夫々本発明の多孔蓋の他実施の形態を示す一部正面図。
【図３】  本発明の多孔蓋の他実施の形態を示す一部正面図。
【図４】  本発明の多孔蓋の他実施の形態を示し、（イ）は正面図、（ロ）は一部拡大正面図。
【図５】  （イ）及び（ロ）は夫々本発明の多孔蓋の他実施の形態を示す一部正面図。
【図６】  （イ）乃至（ト）は夫々本発明の多孔蓋の他実施の形態を示す正面図。
【図７】  本発明の多孔蓋の一使用例を示す断面図。
【図８】  本発明の多孔蓋の他の使用例を示す断面図。
【符号の説明】
【００２５】１  多孔蓋
２  板材
３，８  透孔
３ａ  第一透孔
３ｂ  第二透孔
３ｃ  第三透孔
３ｄ  膨出部
４  外側端部
５  内側端部
６  軸線
７  括れ部
Ａ  仮想円
ａ  開口幅
ｄ  所定寸法
【図１】
2006090104.tif 000003
【図２】
2006090104.tif 000004
【図３】
2006090104.tif 000005
【図４】
2006090104.tif 000006
【図５】
2006090104.tif 000007
【図６】
2006090104.tif 000008
【図７】
2006090104.tif 000009
【図８】
2006090104.tif 000010